(57)【要約】【課題】従来に比べ、術者等が複数の医療装置に対して操作指示を行う際の操作性を向上させ得る医療システムを提供する。【解決手段】本発明の医療システムは、第１の生体情報を得るための第１の医療装置と、前記第１の生体情報とは異なる第２の生体情報を得るための第２の医療装置と、前記第１の医療装置に対する操作指示を行うための第１の指示入力手段と、前記第２の医療装置に対する操作指示を行うための第２の指示入力手段とを有し、前記第１の指示入力手段は、前記第１の医療装置に対する操作指示及び前記第２の医療装置に対する操作指示のうち、共通の操作指示を行うための共通指示入力手段を有する。【選択図】図１
2007275309.tif 000002
【特許請求の範囲】
【請求項１】
第１の生体情報を得るための第１の医療装置と、
前記第１の生体情報とは異なる第２の生体情報を得るための第２の医療装置と、
前記第１の医療装置に対する操作指示を行うための第１の指示入力手段と、
前記第２の医療装置に対する操作指示を行うための第２の指示入力手段とを有し、
前記第１の指示入力手段は、前記第１の医療装置に対する操作指示及び前記第２の医療装置に対する操作指示のうち、共通の操作指示を行うための共通指示入力手段を有することを特徴とする医療システム。
【請求項２】
前記共通指示入力手段は、文字入力手段を有することを特徴とする請求項１に記載の医療システム。
【発明の詳細な説明】
【技術分野】
【０００１】
本発明は、医療システムに関し、特に、各々異なる生体情報を得るために用いられる、複数の医療装置を有して構成される医療システムに関するものである。
【背景技術】
【０００２】
従来より、例えば、電子内視鏡により撮像された、被写体としての生体内の生体組織の像に対して画像処理を行って出力する電子内視鏡撮像装置（以降、電子内視鏡装置と記す）、あるいは、超音波内視鏡により得られた、被写体としての生体内の生体組織の断層像に対して画像処理を行って出力する超音波診断装置等の装置が医療分野において広く用いられている。そして、前述した各装置は、単独で用いられる場合もあれば、複数の装置が連動した医療システムとして用いられる場合もある。
【０００３】
そして、前述したような医療システムとして構成される、例えば、特許文献１に示されている超音波診断装置は、超音波診断装置及び電子内視鏡装置の、両方の医療装置に対する操作指示を行うことのできる操作卓を有して構成されている。
【０００４】
【特許文献１】特開平０７−１８４８８９号公報
【発明の開示】
【発明が解決しようとする課題】
【０００５】
特許文献１に示されている超音波診断装置が有する操作卓は、操作対象としての各医療装置に対して操作指示を行うために用いられるスイッチ等が混在した構成を有している。そのため、特許文献１に示されている超音波診断装置においては、例えば、電子内視鏡装置及び超音波診断装置のうち、一方の医療装置の使用頻度が比較的高く、かつ、他方の医療装置の使用頻度が比較的低くなるような処置を行う場合、使用頻度の高い該一方の医療装置に対して操作指示を行う際の操作性が低下してしまうという課題が生じている。
【０００６】
本発明は、前述した点に鑑みてなされたものであり、従来に比べ、術者等が複数の医療装置に対して操作指示を行う際の操作性を向上させ得る医療システムを提供することを目的としている。
【課題を解決するための手段】
【０００７】
本発明における第１の医療システムは、第１の生体情報を得るための第１の医療装置と、前記第１の生体情報とは異なる第２の生体情報を得るための第２の医療装置と、前記第１の医療装置に対する操作指示を行うための第１の指示入力手段と、前記第２の医療装置に対する操作指示を行うための第２の指示入力手段とを有し、前記第１の指示入力手段は、前記第１の医療装置に対する操作指示及び前記第２の医療装置に対する操作指示のうち、共通の操作指示を行うための共通指示入力手段を有することを特徴とする。
【０００８】
本発明における第２の医療システムは、前記第１の医療システムにおいて、前記共通指示入力手段は、文字入力手段を有することを特徴とする。
【発明の効果】
【０００９】
本発明における医療システムによると、従来に比べ、術者等が複数の医療装置に対して操作指示を行う際の操作性を向上させ得る。
【発明を実施するための最良の形態】
【００１０】
図１から図７は、本発明の実施形態に係るものである。図１は、本実施形態に係る医療システムの要部の構成の一例を示す図である。図２は、図１の医療システムが有するキーボードの外観の一例を示す図である。図３は、図１の医療システムが有するキーボードの内部構成の一例を示すブロック図である。図４は、図１の医療システムが有するキーボードに照明用のＬＥＤを設けた場合の外観を示す側面図である。図５は、図１の医療システムが有するキーボードのレイアウトがモニタに表示された場合の一例を示す図である。図６は、図１の医療システムが有するキーパッドの外観の一例を示す図である。図７は、図１の医療システムが有するキーパッドの内部構成の一例を示すブロック図である。
【００１１】
医療システム１は、図１に示すように、例えば、表示装置としてのモニタ１１、及び可搬型メモリ等により構成される記憶装置１２等の外部装置と接続される電子内視鏡装置２と、超音波診断装置３とを有して要部が構成されている。
【００１２】
電子内視鏡装置２は、図１に示すように、被写体の像を撮像し、撮像信号として出力する図示しない撮像素子等が設けられた電子内視鏡４と、電子内視鏡４から出力される撮像信号に基づき、映像信号を生成して出力する電子内視鏡制御装置５と、電子内視鏡制御装置５に対して操作指示等を行うためのキーボード６とを有して要部が構成されている。
【００１３】
換言すると、電子内視鏡装置２は、生体情報として被写体の像を得るための、医療装置としての構成を有する電子内視鏡４及び電子内視鏡制御装置５と、電子内視鏡４及び電子内視鏡制御装置５に対する操作指示を行うための、指示入力手段としてのキーボード６とを有して構成されている。
【００１４】
また、超音波診断装置３は、図１に示すように、被写体に対して超音波を送波するとともに、該被写体において超音波が反射した反射波を受波してエコー信号として出力する図示しない超音波振動子等が設けられた超音波内視鏡７と、超音波内視鏡７から出力されるエコー信号に基づき、映像信号を生成して出力する超音波内視鏡制御装置８と、超音波内視鏡制御装置８に対して操作指示等を行うためのキーパッド９とを有して要部が構成されている。
【００１５】
換言すると、超音波内視鏡装置３は、生体情報として被写体の断層像を得るための、医療装置としての構成を有する超音波内視鏡７及び超音波内視鏡制御装置８と、超音波内視鏡７及び超音波内視鏡制御装置８に対する操作指示を行うための、指示入力手段としてのキーパッド９とを有して構成されている。
【００１６】
電子内視鏡制御装置５は、図１に示すように、電子内視鏡制御装置５が有する通信用インターフェース５１ａ及び５１ｂに接続される制御部５１と、画像生成部５２と、画像処理部５３とを有して要部が構成されている。
【００１７】
ＣＰＵ等により構成される制御部５１は、通信用インターフェース５１ａに接続されるケーブル１３を介してキーボード６から出力される操作指示信号、及び通信用インターフェース５１ｂに接続されるケーブル１４を介して超音波内視鏡制御装置８から出力される画像切替制御信号に基づき、電子内視鏡４及び画像処理部５３に対して制御を行うための制御信号を出力する。また、制御部５１は、超音波内視鏡制御装置８から出力される画像切替制御信号に基づき、通信用インターフェース５１ｂに接続されるケーブル１４を介してキーボード６から出力される操作指示信号を超音波内視鏡制御装置８に対して出力する。
【００１８】
通信用インターフェース５１ａは、例えば、ＵＳＢ（Ｕｎｉｖｅｒｓａｌ  Ｓｅｒｉａｌ  Ｂｕｓ）またはＲＳ−２３２Ｃ等の通信規格に準じたコネクタ接続用の端子を有して構成されるとともに、該通信規格に適した構成を有するケーブル１３の端部に設けられた、コネクタ１３ａが接続可能な構成を有している。そして、電子内視鏡制御装置５は、前述した構成を有する通信用インターフェース５１ａ及びケーブル１３を介し、キーボード６に接続される。
【００１９】
通信用インターフェース５１ｂは、例えば、ＵＳＢまたはＲＳ−２３２Ｃ等の通信規格に準じたコネクタ接続用の端子を有して構成されるとともに、該通信規格に適した構成を有するケーブル１４の端部に設けられた、コネクタ１４ａが接続可能な構成を有している。
【００２０】
画像生成部５２は、電子内視鏡４から出力される撮像信号に基づいて被写体の像の画像を生成し、該画像を画像信号として画像処理部５３に対して出力する。
【００２１】
画像処理部５３は、制御部５１から出力される制御信号に基づき、画像生成部５２から出力される画像信号に対して画像処理を行った後、該画像信号に基づく被写体の像をモニタ１１に画像表示させるための指示がキーパッド９において行われた場合、該画像信号を映像信号に変換してモニタ１１に対して出力する。さらに、画像処理部５３は、制御部５１から出力される制御信号に基づき、超音波内視鏡制御装置８から出力される画像信号に基づく被写体の断層像をモニタ１１に表示させるための指示がキーパッド９において行われた場合、該画像信号を映像信号に変換し、モニタ１１に対して出力する。
【００２２】
画像処理部５３は、制御部５１から出力される制御信号に基づき、電子内視鏡４から出力される撮像信号に基づく被写体の像を記憶するための操作指示がキーボード６においてなされた場合、画像生成部５２から出力される画像信号を記憶装置１２に対して出力する。また、画像処理部５３は、制御部５１から出力される制御信号に基づき、超音波内視鏡７から出力されるエコー信号に基づく被写体の断層像を記憶するための操作指示がキーボード６においてなされた場合、超音波内視鏡制御装置８から出力される画像信号を記憶装置１２に対して出力する。
【００２３】
指示入力手段としてのキーボード６は、例えば、図２に示されるような外観及び図３に示されるような内部構成を有している。具体的には、キーボード６は、図３に示すように、汎用キー群６１と、拡張キー群６２と、ＵＳＢ用インターフェース６３と、ＲＳ−２３２Ｃ用インターフェース６４と、キーボード制御部６５とを有して構成されている。
【００２４】
共通指示入力手段としての汎用キー群６１は、所定の規格としての、例えば、ＵＳＢ−ＨＩＤ（Ｈｕｍａｎ  Ｉｎｔｅｒｆａｃｅ  Ｄｅｖｉｃｅ）規格に準じて構成されている。また、汎用キー群６１は、電子内視鏡装置２及び超音波診断装置３の両方の装置において共通に使用される複数のキーを有して構成されている。具体的には、汎用キー群６１は、例えば、文字入力を行うための英数字キー、及び、モニタ１１に表示される、電子内視鏡４から出力される撮像信号に基づく被写体の像または超音波内視鏡７から出力されるエコー信号に基づく被写体の断層像のうち、いずれか一方の画像の記憶を指示するためのレリーズキー等のキーを有して構成されている。そして、汎用キー群６１は、前記複数のキー各々においてなされた文字入力及び指示に基づく操作指示信号をＵＳＢ用インターフェース６３及びキーボード制御部６５に対して出力する。
【００２５】
拡張キー群６２は、所定の規格としての、例えば、ＵＳＢ−ＨＩＤ規格に準じて構成されている。また、拡張キー群６２は、例えば、電子内視鏡４に対して各種操作指示を行うための１または複数のキーを有して構成されている。そして、拡張キー群６２は、前記複数のキー各々においてなされた指示に基づく操作指示信号をＵＳＢ用インターフェース６３及びキーボード制御部６５に対して出力する。
【００２６】
ＵＳＢ用インターフェース６３は、ＵＳＢの通信規格に準じたコネクタ接続用の端子及びハブ等を有して構成されている。また、ＵＳＢ用インターフェース６３は、電子内視鏡制御装置５とキーボード６とがケーブル１３によりＵＳＢ接続されている場合、汎用キー群６１及び拡張キー群６２から出力される操作指示信号を電子内視鏡制御装置５に対して出力する。
【００２７】
ＲＳ−２３２Ｃ用インターフェース６４は、ＲＳ−２３２Ｃの通信規格に準じたコネクタ接続用の端子等を有して構成されている。また、ＲＳ−２３２Ｃ用インターフェース６４は、電子内視鏡制御装置５とキーボード６とがケーブル１３によりＲＳ−２３２Ｃ接続されている場合、汎用キー群６１及び拡張キー群６２からキーボード制御部６５を介して出力される操作指示信号をＲＳ−２３２Ｃに準じた信号に変換し、該変換を行った後の操作指示信号を電子内視鏡制御装置５に対して出力する。
【００２８】
以上に述べたように、キーボード６には、ＵＳＢ用インターフェース６３及びＲＳ−２３２Ｃ用インターフェース６４の２つの通信用インターフェースが設けられている。そのため、キーボード６は、単一の通信用インターフェースしか有さないキーボードに比べ、より多様な電子内視鏡制御装置５に対する接続が可能である。
【００２９】
ＣＰＵ等により構成されるキーボード制御部６５は、電子内視鏡制御装置５とキーボード６とがケーブル１３によりＲＳ−２３２Ｃ接続されている場合、汎用キー群６１及び拡張キー群６２から出力される操作指示信号をＲＳ−２３２Ｃ用インターフェース６４に対して出力する制御を行う。
【００３０】
なお、キーボード６は、特に暗所において使用される際の視認性向上のため、例えば、図４に示すように、汎用キー群６１が有する一のキーにより点灯及び消灯を切り替え可能であるような、一端部に照明用のＬＥＤ６６を有して構成されるものであっても良い。
【００３１】
また、キーボード６は、特に暗所において使用される際の視認性向上のため、例えば、図５に示すように、モニタ１１の画面上の一部にキーボード６のレイアウトが表示されるような構成を有するものであっても良い。
【００３２】
超音波内視鏡制御装置８は、図１に示すように、超音波内視鏡制御装置８が有する通信用インターフェース８１ａ及び８１ｂに接続される制御部８１と、超音波画像生成部８２と、超音波画像処理部８３とを有して要部が構成されている。
【００３３】
ＣＰＵ等により構成される制御部８１は、通信用インターフェース８１ａに接続されるケーブル１５を介してキーパッド９から出力される操作指示信号及び画像切替制御信号に基づき、超音波内視鏡７及び超音波画像処理部８３に対して制御を行うための制御信号を出力する。また、制御部８１は、通信用インターフェース８１ｂに接続されるケーブル１４を介し、キーパッド９から出力される画像切替制御信号を電子内視鏡制御装置５に対して出力する。
【００３４】
通信用インターフェース８１ａは、例えば、ＵＳＢ等の通信規格に準じたコネクタ接続用の端子を有して構成されるとともに、該通信規格に適した構成を有するケーブル１５の端部に設けられた、コネクタ１５ａが接続可能な構成を有している。そして、超音波内視鏡制御装置８は、前述した構成を有する通信用インターフェース８１ａ及びケーブル１５を介し、キーパッド９に接続される。
【００３５】
通信用インターフェース８１ｂは、例えば、ＵＳＢまたはＲＳ−２３２Ｃ等の通信規格に準じたコネクタ接続用の端子を有して構成されるとともに、該通信規格に適した構成を有するケーブル１４の端部に設けられた、コネクタ１４ｂが接続可能な構成を有している。
【００３６】
超音波画像生成部８２は、超音波内視鏡７から出力されるエコー信号に基づいて被写体の断層像の画像を生成し、該画像を画像信号として超音波画像処理部８３に対して出力する。
【００３７】
超音波画像処理部８３は、制御部８１から出力される制御信号に基づき、超音波画像生成部８２から出力される画像信号に対して画像処理を行う。その後、超音波画像処理部８３は、ケーブル１６を介し、前記画像信号を画像処理部５３に対して出力する。
【００３８】
指示入力手段としてのキーパッド９は、例えば、図６に示されるような外観及び図７に示されるような内部構成を有している。具体的には、キーパッド９は、図７に示すように、キー／スイッチ群９１と、トラックボール９２と、ＵＳＢ用インターフェース９３と、画像切替スイッチ９４と、キーパッド制御部９５とを有して構成されている。
【００３９】
キー／スイッチ群９１は、所定の規格としての、例えば、ＵＳＢ−ＨＩＤ規格に準じて構成されている。また、キー／スイッチ群９１は、例えば、超音波内視鏡７に対して各種操作指示を行うための１または複数のキーを有して構成されている。そして、キー／スイッチ群９１は、前記複数のキー各々においてなされた指示に基づく操作指示信号をＵＳＢ用インターフェース９３に対して出力する。
【００４０】
トラックボール９２は、所定の規格としての、例えば、ＵＳＢ−ＨＩＤ規格に準じて構成されている。そして、トラックボール９２は、例えば、モニタ１１に画像表示される、超音波内視鏡７から出力されるエコー信号に基づく被写体の断層像を回転させるための指示に基づく操作指示信号をＵＳＢ用インターフェース９３に対して出力する。
【００４１】
ＵＳＢ用インターフェース９３は、ＵＳＢの通信規格に準じたコネクタ接続用の端子及びハブ等を有して構成されている。また、ＵＳＢ用インターフェース９３は、超音波内視鏡制御装置８とキーパッド９とがケーブル１５により接続されている場合、キー／スイッチ群９１及びトラックボール９２から出力される操作指示信号を、超音波内視鏡制御装置８に対して出力する。
【００４２】
画像切替スイッチ９４は、モニタ１１に表示させる画像を、電子内視鏡４から出力される撮像信号に基づく被写体の像、または超音波内視鏡７から出力されるエコー信号に基づく被写体の断層像のうち、いずれか一方の画像に切り替えるための、画像切替指示信号をキーパッド制御部９５に対して出力する。なお、画像切替スイッチ９４は、前述した画像切替指示信号を出力するための構成を有してさえいれば、キーパッド９に設けられているものに限るものではなく、例えば、キーボード６等に設けられているものであっても良い。
【００４３】
キーパッド制御部９５は、画像切替スイッチ９４から出力される画像切替指示信号に基づき、例えば、電子内視鏡４から出力される撮像信号に基づく被写体の像をモニタ１１に画像表示させるとともに、汎用キー群６１が有する英数字キーにおいてなされた文字入力の内容を該被写体の像に重畳させるための指示を有する画像切替制御信号を、ケーブル１５、超音波内視鏡制御装置８及びケーブル１４を介し、電子内視鏡制御装置５の制御部５１に対して出力する。
【００４４】
また、キーパッド制御部９５は、画像切替スイッチ９４から出力される画像切替指示信号に基づき、例えば、超音波内視鏡７から出力されるエコー信号に基づく被写体の断層像をモニタ１１に画像表示させるとともに、汎用キー群６１が有する英数字キーにおいてなされた文字入力の内容を該被写体の断層像に重畳させるための指示を有する画像切替制御信号を、ＵＳＢ用インターフェース９３及びケーブル１５を介し、超音波内視鏡制御装置８の制御部８１に対して出力する。さらに、キーパッド制御部９５は、前記画像切替制御信号を、ＵＳＢ用インターフェース９３、ケーブル１５、超音波内視鏡制御装置８及びケーブル１４を介し、電子内視鏡制御装置５の制御部５１に対しても出力する。
【００４５】
次に、本実施形態の医療システム１の作用について説明を行う。
【００４６】
まず、術者等は、ケーブル１３、ケーブル１４、ケーブル１５及びケーブル１６を医療システム１が有する各部に接続した後、該各部の電源を投入して起動状態とする。なお、以降においては、説明の簡単のため、電子内視鏡制御装置５及びキーボード６は、ケーブル１３によりＵＳＢ接続されているものであるとする。
【００４７】
その後、電子内視鏡４から出力される撮像信号に基づく被写体の像がモニタ１１に画像表示されている状態において、例えば、キーボード６の汎用キー群６１が有する英数字キーが術者等に操作されることにより文字入力が行われた場合、汎用キー群６１は、該文字入力に基づく操作指示信号をＵＳＢ用インターフェース６３及びケーブル１３を介し、電子内視鏡制御装置５に対して出力する。
【００４８】
電子内視鏡制御装置５の制御部５１は、キーボード６から出力される操作指示信号に基づき、キーボード６において行われた文字入力内容を、電子内視鏡４から出力される撮像信号に基づく被写体の像に重畳させる制御を行うための制御信号を画像処理部５３に対して出力する。
【００４９】
画像処理部５３は、制御部５１から出力される制御信号に基づき、キーボード６において行われた文字入力内容を、画像生成部５２から出力される画像信号に対して重畳する画像処理を行った後、該画像処理を行った画像信号を映像信号に変換してモニタ１１に対して出力する。
【００５０】
前述した作用により、モニタ１１には、キーボード６において行われた文字入力内容が、電子内視鏡４から出力される撮像信号に基づく被写体の像に重畳された状態として画像表示される。
【００５１】
その後、電子内視鏡４から出力される撮像信号に基づく被写体の像がモニタ１１に画像表示されている状態において、キーパッド９の画像切替スイッチ９４が術者等に操作されることにより、超音波内視鏡７から出力されるエコー信号に基づく被写体の断層像をモニタ１１に画像表示させるための指示が行われた場合、画像切替スイッチ９４は、該指示に基づく画像切替指示信号をキーパッド制御部９５に対して出力する。
【００５２】
キーパッド制御部９５は、画像切替スイッチ９４から出力される画像切替指示信号に基づき、超音波内視鏡７から出力されるエコー信号に基づく被写体の断層像をモニタ１１に画像表示させるとともに、汎用キー群６１が有する英数字キーにおいてなされた文字入力の内容を該被写体の断層像に重畳させるための指示を有する画像切替制御信号を、ケーブル１５等を介し、超音波内視鏡制御装置８の制御部８１と、電子内視鏡制御装置５の制御部５１とに対して出力する。
【００５３】
制御部５１は、超音波内視鏡制御装置８から出力される画像切替制御信号に基づき、キーボード６において行われた文字入力内容を有する信号である操作指示信号を、ケーブル１４を介し、超音波内視鏡制御装置８の制御部８１に対して出力する。また、制御部５１は、超音波内視鏡制御装置８から出力される画像切替制御信号に基づき、超音波内視鏡７から出力されるエコー信号に基づく被写体の断層像をモニタ１１に出力させる制御を行うための制御信号を画像処理部５３に対して出力する。
【００５４】
制御部８１は、電子内視鏡制御装置５からケーブル１４を介して出力される操作指示信号と、キーパッド９から出力される画像切替制御信号に基づき、キーボード６において行われた文字入力内容を、超音波内視鏡７から出力されるエコー信号に基づく被写体の断層像に重畳させる制御を行うための制御信号を超音波画像処理部８３に対して出力する。
【００５５】
超音波画像処理部８３は、制御部８１から出力される制御信号に基づき、キーボード６において行われた文字入力内容を、超音波画像生成部８２から出力される画像信号に対して重畳する画像処理を行った後、該画像処理を行った画像信号を、ケーブル１６を介し、電子内視鏡制御装置５の画像処理部５３に対して出力する。
【００５６】
画像処理部５３は、制御部５１から出力される制御信号に基づき、超音波内視鏡制御装置８から出力される画像信号を映像信号に変換し、モニタ１１に対して出力する。
【００５７】
前述した作用により、モニタ１１には、キーボード６において行われた文字入力内容が、超音波内視鏡７から出力されるエコー信号に基づく被写体の断層像に重畳された状態として画像表示される。
【００５８】
なお、前述した操作指示信号及び画像切替制御信号のやりとりは、電子内視鏡制御装置５と超音波内視鏡制御装置８との間において、ケーブル１４を介して行われるものに限らない。具体的には、前述した操作指示信号及び画像切替制御信号のやりとりは、例えば、ＵＳＢ用インターフェース６３及び９３に接続可能な構成を有する、図示しないＵＳＢケーブル等のケーブルを介し、キーボード６とキーパッド９との間においてやりとりが行われた後の各信号が、電子内視鏡制御装置５または超音波内視鏡制御装置８に対して出力されるものであっても良い。
【００５９】
前述した作用により、モニタ１１には、キーボード６において行われた文字入力内容が、超音波内視鏡７から出力されるエコー信号に基づく被写体の断層像に重畳された状態として画像表示される。
【００６０】
以上に述べたように、本実施形態の医療システム１においては、電子内視鏡装置２及び超音波診断装置３において行われる、各部に対する操作指示のうち、各装置において独自に行われることが望ましい操作指示である、例えば、電子内視鏡４に対する操作指示をキーボード６のみにより行うことができ、また、超音波内視鏡７に対する操作指示をキーパッド９のみにより行うことができる。その結果、本実施形態の医療システム１は、一方の医療装置の使用頻度が比較的高く、かつ、他方の医療装置の使用頻度が比較的低くなるような処置を行う場合においても、使用頻度の高い該一方の医療装置に対して操作指示を行う際の操作性の低下を防止することができる。
【００６１】
さらに、本実施形態の医療システム１においては、電子内視鏡装置２及び超音波診断装置３の各装置において共通化することが可能な操作指示である、例えば、文字入力及び画像記憶等の操作指示を、キーボード６において行うことができる。その結果、本実施形態の医療システム１は、従来に比べ、術者等が複数の医療装置に対して操作指示を行う際の操作性を向上させることができる。
【００６２】
なお、本発明は、上述した実施形態に限定されるものではなく、発明の趣旨を逸脱しない範囲内において種々の変更や応用が可能であることは勿論である。
【図面の簡単な説明】
【００６３】
【図１】本実施形態に係る医療システムの要部の構成の一例を示す図。
【図２】図１の医療システムが有するキーボードの外観の一例を示す図。
【図３】図１の医療システムが有するキーボードの内部構成の一例を示すブロック図。
【図４】図１の医療システムが有するキーボードに照明用のＬＥＤを設けた場合の外観を示す側面図。
【図５】図１の医療システムが有するキーボードのレイアウトがモニタに表示された場合の一例を示す図。
【図６】図１の医療システムが有するキーパッドの外観の一例を示す図。
【図７】図１の医療システムが有するキーパッドの内部構成の一例を示すブロック図。
【符号の説明】
【００６４】
１・・・医療システム、２・・・電子内視鏡装置、３・・・超音波診断装置、４・・・電子内視鏡、５・・・電子内視鏡制御装置、６・・・キーボード、７・・・超音波内視鏡、８・・・超音波内視鏡制御装置、９・・・キーパッド、１１・・・モニタ、１２・・・記憶装置、１３，１４，１５，１６・・・ケーブル、１３ａ，１４ａ，１４ｂ，１５ａ・・・コネクタ、５１，８１・・・制御部、５１ａ，５１ｂ，８１ａ，８１ｂ・・・通信用インターフェース、５２・・・画像生成部、５３・・・画像処理部、６１・・・汎用キー群、６２・・・拡張キー群、６３，９３・・・ＵＳＢ用インターフェース、６４・・・ＲＳ−２３２Ｃ用インターフェース、６５・・・キーボード制御部、８２・・・超音波画像生成部、８３・・・超音波画像処理部、９１・・・キー／スイッチ群、９２・・・トラックボール、９４・・・画像切替スイッチ、９５・・・キーパッド制御部
【図１】
2007275309.tif 000003
【図２】
2007275309.tif 000004
【図３】
2007275309.tif 000005
【図４】
2007275309.tif 000006
【図５】
2007275309.tif 000007
【図６】
2007275309.tif 000008
【図７】
2007275309.tif 000009